(57)【要約】【課題】大画面表示装置上に表示されている画面オブジェクトを複数の操作卓から同時に操作した場合に、操作の種類によって有効な操作を判断する大画面システムを得る。【解決手段】各操作卓１１からの操作信号を受信する操作信号受信部２と、この操作信号受信部２からの操作信号を解析し、優先度を判定し、有効な操作信号を決定する操作信号解析部３を設け、画面オブジェクト毎に操作の種類が格納された操作対応メモリ１２と操作の種類毎に重み付け値が格納された操作重み付けメモリ１３とを用いて、操作信号解析部３が優先度の大きい操作信号を決定し、操作信号処理部４により操作信号に対応する画面表示を行うようにした。【選択図】図１
2008129641.tif 000002
【特許請求の範囲】
【請求項１】
多種類の画面オブジェクトを表示する大画面表示装置に、上記画面オブジェクトを操作する複数の操作卓が接続された大画面システムにおいて、上記大画面表示装置は、上記操作卓から上記画面オブジェクトを特定する情報を含む操作信号を受信する操作信号受信手段、上記画面オブジェクトと操作の種類を対応付けた操作対応メモリ、この操作対応メモリの上記操作の種類毎に重み付け値を設定した操作重み付けメモリ、上記操作信号受信手段により受信された操作信号を選択する操作信号選択手段、及びこの操作信号選択手段により選択された操作信号に応じて上記画面オブジェクトを表示替えする操作信号処理手段を備え、
上記操作信号選択手段は、所定時間内に上記複数の操作卓から複数の操作信号が送信されたとき、上記各操作信号によって特定される画面オブジェクトに対応する操作の種類を上記操作対応メモリから取得するとともに、この取得した操作の種類に対応する重み付け値を上記操作重み付けメモリから取得して、最も重み付け値が大である操作信号を選択することを特徴とする大画面システム。
【請求項２】
上記操作重み付けメモリは、時間帯に対応した上記重み付け値が設定されているとともに、上記操作信号選択手段は、上記操作信号を選択するときの時刻に基づき、上記操作重み付けメモリから上記時刻が含まれる時間帯に対応した重み付け値を取得することを特徴とする請求項１記載の大画面システム。
【請求項３】
上記大画面表示装置は、プラントの状態を表示し、上記操作重み付けメモリは、上記プラントの状態に対応して上記重み付け値が設定されているとともに、上記操作信号選択手段は、上記操作信号を選択するときの上記プラントの状態に応じて上記操作重み付けメモリから重み付け値を取得することを特徴とする請求項１記載の大画面システム。
【請求項４】
大画面表示装置は、上記操作の種類ごとに過去の操作回数を格納した操作履歴メモリを備え、上記操作信号選択手段は、上記操作信号から取得された操作の種類に対応する重み付け値と、上記操作履歴メモリの上記操作信号から取得された操作の種類に対応する過去の操作回数に基づき、上記操作信号を選択することを特徴とする請求項１記載の大画面システム。
【請求項５】
大画面表示装置は、上記操作の種類ごとに過去の操作回数を格納した操作履歴メモリを備え、上記操作信号選択手段は、上記操作信号から取得された操作の種類に対応する上記プラントの状態に応じた重み付け値と、上記操作信号から取得された操作の種類に対応する上記操作履歴メモリの過去の操作回数に基づき、上記操作信号を選択することを特徴とする請求項３記載の大画面システム。
【発明の詳細な説明】
【技術分野】
【０００１】
この発明は、鉄鋼プラント、発電プラント、水処理プラント等の産業プラント監視システムに接続される大画面システムに関し、とくに大画面上のオブジェクトに対する操作の排他制御に関するものである。
【背景技術】
【０００２】
従来の表示画面の排他制御技術においては、ある処理中に他の処理を行おうとした場合に、他の処理を排他する方式（例えば、特許文献１）や、他の処理を効率的に実行する方式（例えば、特許文献２、特許文献３）は存在する。
また、複数の操作員が画面上の操作を行う場合に、操作を行う制御装置毎に優先度を設ける方式は存在する。（例えば、特許文献４）
【０００３】
【特許文献１】特開平０５−２５７５６１号公報（第６〜９頁、図２）
【特許文献２】特開平０７−７８０９１号公報（第３〜６頁、図１）
【特許文献３】特開平１０−４０１１７号公報（第２〜５頁、図１）
【特許文献４】特許第２８３４２０５号公報（第３〜８頁、図１）
【発明の開示】
【発明が解決しようとする課題】
【０００４】
従来の画面表示の排他制御技術として、例えば、特許文献１、特許文献２、特許文献３に示すような排他制御方式は、大画面システムについてのものではない。また、これらは複数の捜査員が同時に操作した場合にどちらの操作を有効とするかについてのものではなく、ある操作員が操作を行っている期間、他の操作員の操作を遮断するためのものであったり、ある処理を行っている期間に、それよりも優先度の高い処理が発生した場合に優先度の高い処理を効率的に行う方式である。
【０００５】
また、例えば、特許文献４に示す排他方式は、それぞれの操作員に対応した制御装置毎に優先度を持たせるものであるが、この場合、実際の運用では、制御装置毎に必ずしも固定的に優先度が決まる訳ではなく、同じ制御装置を使った同じ操作員の操作であっても状況により優先度が変わってくるため、状況に応じて優先度が変えられないという問題点があった。
【０００６】
この発明は、上記のような課題を解決するためになされたものであり、大画面表示装置上に表示されている画面オブジェクトを複数の操作卓から同時に操作を行った場合に、操作の種類によって有効な操作を判断する大画面システムを得ることを目的とする。
【課題を解決するための手段】
【０００７】
この発明に係わる大画面システムにおいては、多種類の画面オブジェクトを表示する大画面表示装置に、画面オブジェクトを操作する複数の操作卓が接続された大画面システムにおいて、大画面表示装置は、操作卓から画面オブジェクトを特定する情報を含む操作信号を受信する操作信号受信手段、画面オブジェクトと操作の種類を対応付けた操作対応メモリ、この操作対応メモリの操作の種類毎に重み付け値を設定した操作重み付けメモリ、操作信号受信手段により受信された操作信号を選択する操作信号選択手段、及びこの操作信号選択手段により選択された操作信号に応じて画面オブジェクトを表示替えする操作信号処理手段を備え、
操作信号選択手段は、所定時間内に複数の操作卓から複数の操作信号が送信されたとき、各操作信号によって特定される画面オブジェクトに対応する操作の種類を操作対応メモリから取得するとともに、この取得した操作の種類に対応する重み付け値を操作重み付けメモリから取得して、最も重み付け値が大である操作信号を選択するものである。
【発明の効果】
【０００８】
この発明は、以上説明したように、多種類の画面オブジェクトを表示する大画面表示装置に、画面オブジェクトを操作する複数の操作卓が接続された大画面システムにおいて、大画面表示装置は、操作卓から画面オブジェクトを特定する情報を含む操作信号を受信する操作信号受信手段、画面オブジェクトと操作の種類を対応付けた操作対応メモリ、この操作対応メモリの操作の種類毎に重み付け値を設定した操作重み付けメモリ、操作信号受信手段により受信された操作信号を選択する操作信号選択手段、及びこの操作信号選択手段により選択された操作信号に応じて画面オブジェクトを表示替えする操作信号処理手段を備え、
操作信号選択手段は、所定時間内に複数の操作卓から複数の操作信号が送信されたとき、各操作信号によって特定される画面オブジェクトに対応する操作の種類を操作対応メモリから取得するとともに、この取得した操作の種類に対応する重み付け値を操作重み付けメモリから取得して、最も重み付け値が大である操作信号を選択するので、大画面表示装置上に表示されている画面オブジェクトを複数の操作卓から同時に操作を行った場合に、操作卓毎に設定された優先度などの固定的な優先度ではなく、操作の種類によって有効な操作を判断し、選択することができる。
【発明を実施するための最良の形態】
【０００９】
実施の形態１．
以下、この発明の実施の形態１を図に基づいて説明する。
図１は、この発明の実施の形態１による大画面システムを示す構成図である。
図１において、複数の操作卓１１と、この複数の操作卓１１が接続された大画面表示装置１とで大画面システムを構成する。大画面表示装置１は、次のように構成されている。
操作信号受信部２（操作信号受信手段）は、各操作卓１１からの操作信号を受信する。操作信号解析部３（操作信号選択手段）は、操作信号受信部２からの操作信号を解析し、優先度を判定し、有効な操作信号を決定する。操作信号処理部４（操作信号処理手段）は、操作信号解析部３からの操作信号により、対応する処理を行い、大画面上に表示を行う。大画面ディスプレイ５には、画面データ６が表示されている。画面オブジェクト７、８は、画面上の操作対象となる、例えばボタンである。カーソル９、１０は、各操作卓１１の操作位置を示す。操作対応メモリ１２には、画面のオブジェクト毎の操作の種類が格納されている。操作重み付けメモリ１３には、操作の種類毎に優先度を表す重み付け値が格納されている。
【００１０】
図２は、この発明の実施の形態１による大画面システムの操作信号を示す説明図である。
図２において、操作信号が発生した操作卓１１を示す操作卓番号６１と、操作信号に対応するカーソルの位置を表すカーソル位置情報６２と、操作内容である操作データ６３が含まれる。
【００１１】
図３は、この発明の実施の形態１による大画面システムの操作対応メモリのデータ構成を示す説明図である。
図３において、画面オブジェクトを特定するオブジェクト番号６４と、操作の種類６５が対応付けられている。
【００１２】
図４は、この発明の実施の形態１による大画面システムの操作重み付けメモリのデータ構成を示す説明図である。
図４において、操作の種類６５と重み付け６６が対応付けられ、重み付け６６には、操作の種類６５に対応して重み付け値が示されている。
【００１３】
次に、動作について説明する。
図１において、各操作卓１１からの操作信号は、操作信号受信部２で受信され、操作信号解析部３に通知される。ここで、操作信号は、例えば図２のように、カーソル位置情報６２が付けられており、この情報により、カーソル９、１０が対応する位置に表示される。また、このカーソル位置情報６２により、カーソルを使って操作を行った場合、どの画面オブジェクトに対して操作を行ったかが判別できるようになっている。
操作信号解析部３は、ある短い時間（所定時間）で操作信号が１つのみの時には、その信号をそのまま操作処理部４へ通知する。ある短い時間で複数の操作信号を受信した場合は、例えば図３で表されるような、画面オブジェクトのオブジェクト番号６４と操作の種類６５との対応を示す操作対応メモリ１２により、操作の種類６５を取得する。
【００１４】
次に、特定された操作の種類６５から、例えば図４で表されるような操作の種類毎の重み付け値が設定された操作重み付けメモリ１３により操作の重み付け値を取得する。
取得した各操作信号毎の操作の重み付け値から一番値の大きなものを優先度の高いものとして選択し、その選択した操作信号を操作処理部４へ通知する。有効な操作信号を受信した操作処理部４は、対応する操作カーソル９あるいはカーソル１０の色替え表示と、例えば、ボタンを引っ込めた表示をするなど、画面オブジェクト７または画面オブジェクト８の表示替え処理などの操作信号に対応する処理を行う。
【００１５】
実施の形態１によれば、操作対応メモリ１２、操作重み付けメモリ１３を使用し、操作の種類毎の優先度を算出できるようにしたので、複数の操作員が同時に操作を行った場合に操作の種類に応じて有効な操作を決定することができるという効果が得られる。
【００１６】
実施の形態２．
以下、この発明の実施の形態２を図に基づいて説明する。
図５は、この発明の実施の形態２による大画面システムを示す構成図である。
図５において、１、２、４〜１２は図１と同一のもので同様の動作を行う。操作信号解析部２１は、現在時刻メモリ２２より時刻を取得し、時刻毎操作重み付けメモリ２３より時刻の範囲（時間帯）毎の操作の種類による重み付け値を取得し、優先度を判定して、有効な操作信号を決定する。現在時刻メモリ２２には、時計２４より現在時刻が逐次書き込まれている。時刻毎操作重み付けメモリ２３は、操作の種類による重み付け値がある時刻の範囲毎に格納されている。時計２４は、現在時刻を表す。
【００１７】
図６は、この発明の実施の形態２による大画面システムの時刻毎操作重み付けメモリのデータ構造を示す説明図であり、図６（ａ）は、０時〜１２時用のテーブルであり、図６（ｂ）は、１２時〜２４時用のテーブルである。
図６において、時間帯毎に、操作の種類６５と重み付け６６が対応付けられている。
【００１８】
次に、動作について説明する。
図５で、各操作卓１１からの操作信号は、操作信号受信部２で受信され、操作信号解析部２１に通知され、操作対応メモリ１２より操作の種類が取得される。
次に、操作信号解析部２１は、現在時刻メモリ２２より現在時刻を取得し、例えば図６に示すような、時刻の範囲毎に重み付け値が格納されている時刻毎操作重み付けメモリ２３より、現在の時刻に対応する操作の種類６５の重み付け６６の値を取得する。以降の動作は、実施の形態１と同様である。
【００１９】
実施の形態２によれば、現在時刻メモリ２２、時刻毎操作重み付けメモリ２３を使用し、操作の種類毎の優先度の算出を時刻毎に変更できるようにしたので、例えば、昼間、夜間など時刻によるプラントの操業状態の違いにより同一の操作を行った場合でも優先度を変更できるという効果が得られる。
【００２０】
実施の形態３．
以下、この発明の実施の形態３を図に基づいて説明する。
図７は、この発明の実施の形態３による大画面システムを示す構成図である。
図７において、１、２、４〜１２は、図１と同一のもので同様の動作を行う。操作信号解析部３１は、現在状態メモリ３２よりプラントの状態を取得し、状態毎操作重み付けメモリ３３より状態パターン毎の操作の種類による重み付け値を取得し、優先度を判定して、有効な操作信号を決定する。現在状態メモリ３２には、プラントから現在のプラント状態が逐次書き込まれていて、これは大画面表示装置の表示状態に反映されている。状態パターンメモリ３３には、プラントの状態毎の状態パターン番号が格納されている。状態毎操作重み付けメモリ３４は、操作の種類毎の重み付け値がプラントの状態毎に格納されている。プラント状態取得部３５は、プラントの状態を取得し、現在状態メモリ３２に格納する。ここでプラントの状態とは、例えば正常状態、警報状態などで表される状態のことであり、大画面表示装置は、プラントの状態を表示しているものとする。
【００２１】
図８は、この発明の実施の形態３による大画面システムの状態パターンメモリのデータ構造を示す図である。
図８において、状態の種類６７毎に状態パターン番号６８が示されている。
【００２２】
図９は、この発明の実施の形態３による大画面システムの状態毎操作重み付けメモリのデータ構造を示す図である。
図９において、状態パターン毎に、操作の種類６５と重み付け６６とが対応付けられている。
【００２３】
次に、動作について説明する。
図７で、各操作卓１１からの操作信号は、操作信号受信部２で受信され、操作信号解析部３１に通知され、操作対応メモリ１２より操作の種類を取得する。
次に、操作信号解析部３１は、現在状態メモリ３２より、例えば、正常状態、警報状態などで表されるプラントの現在の状態を取得し、例えば、図８で示されるような、プラントの状態毎に状態パターン番号が格納されている状態パターンメモリ３３より、該当する状態パターン番号を取得する。
次に、操作信号解析部３１は、取得した状態パターン番号から、例えば図９で示されるように、操作の種類毎の重み付け値が状態パターン毎に格納されている状態毎操作重み付けメモリ３４より、該当する重み付け値を取得する。以降の動作は、実施の形態１と同様である。
【００２４】
実施の形態３によれば、現在状態メモリ３２、状態パターンメモリ３３、状態毎操作重み付けメモリ３４を使用し、操作の種類毎の優先度の算出をプラントの状態毎に変更できるようにしたので、例えば、プラントの状態が正常状態、警報状態など、プラントの状態による操業状態の違いにより同一の操作を行った場合でも優先度を変更できるという効果が得られる。
【００２５】
実施の形態４．
以下、この発明の実施の形態４を図に基づいて説明する。
図１０は、この発明の実施の形態４による大画面システムを示す構成図である。
図１０において、１、２、４〜１３は、図１と同一のもので同様の動作を行う。操作信号解析部４１は、操作履歴メモリ４２より操作の回数を取得し、優先度を判定して、有効な操作信号を決定する。操作履歴メモリ４２には、過去に行った操作の種類毎の回数が格納されている。
【００２６】
図１１は、この発明の実施の形態４による大画面システムの操作履歴メモリのデータ構造を示す図である。
図１１において、操作の種類６５毎に、操作を行った回数６９が示されている。
【００２７】
次に、動作について説明する。
図１０で、各操作卓１１からの操作信号は、操作信号受信部２で受信され、操作信号解析部４１に通知され、操作対応メモリ１２より操作の種類６５が取得される。
次に、操作信号解析部４１は、例えば図１１で示されるような、操作の種類６５毎に過去に操作が行われた回数６９が格納された操作履歴メモリ４２より該当の操作が行われた回数６９を取得する。
次に、操作重み付けメモリ１３から該当の操作の重み付け値を取得し、取得した重み付け値と該当の操作が行われた回数６９から、例えば、式（１）により、優先度を算出し、算出した優先度の一番大きな値のものを有効な操作信号として操作信号処理部４へ通知する。以降の動作は、実施の形態１と同様である。
【００２８】
優先度  ＝  操作を行った回数  ×  重み付け値        ・・・・（１）
【００２９】
実施の形態４によれば、操作履歴メモリ４２を使用し、操作の種類毎の優先度の算出を過去の操作回数に応じて求めるようにしたので、プラントの操業でよく行われる操作が優先されるという効果が得られる。
【００３０】
実施の形態５．
以下、この発明の実施の形態５を図に基づいて説明する。
図１２は、この発明の実施の形態５による大画面システムを示す構成図である。
図１２において、１、２、４〜１２は、図１と同一のもので同様の動作を行う。３２〜３５は、図７と同一のもので同様の動作を行う。４２は図１０と同一のもので同様の動作を行う。操作信号解析部５１は、状態毎操作重み付けメモリ３４から重み付け値を取得し、操作履歴メモリ４２より、過去に操作を行った回数を取得し、優先度を判定して有効な操作信号を決定する。
【００３１】
次に、動作について説明する。
図１３で、各操作卓１１からの操作信号は、操作信号受信部２で受信され、操作信号解析部５１に通知され、操作対応メモリ１２より操作の種類６５が取得される。
次に、操作信号解析部５１は、現在状態メモリ３２と状態パターンメモリ３３より該当する状態パターン番号６８を取得し、取得した状態パターン番号６８と状態毎操作重み付けメモリ３４より該当する重み付け値６６を取得する。
次に、操作履歴メモリ４２より該当の操作が行われた回数６９を取得する。
次に、取得した重み付け値６６と該当の操作が行われた回数６９から、例えば式（２）により優先度を算出し、算出した優先度の一番大きな値のものを有効な操作信号として操作信号処理部４へ通知する。以降の動作は、実施の形態１と同様である。
【００３２】
優先度  ＝  操作を行った回数  ×  状態パターン毎の重み付け値  ・・・（２）
【００３３】
実施の形態５によれば、現在状態メモリ３２、状態パターンメモリ３３、状態毎操作重み付けメモリ３４を使用し、操作の種類毎の優先度の算出をプラントの状態毎に変更できるようにし、また、操作履歴メモリ４２を使用し、操作の種類毎の優先度の算出を過去の操作回数に応じて求めるようにしたので、プラントの状態に応じてプラントの操業でよく行われる操作が優先されるという効果が得られる。
【図面の簡単な説明】
【００３４】
【図１】この発明の実施の形態１による大画面システムを示す構成図である。
【図２】この発明の実施の形態１による大画面システムの操作信号のデータ構造例を示す図である。
【図３】図１に示される操作対応メモリのデータ構造例を示す図である。
【図４】図１に示される操作重み付けメモリのデータ構造例を示す図である。
【図５】この発明の実施の形態２による大画面システムを示す構成図である。
【図６】図５に示される時刻毎操作重み付けメモリのデータ構造例を示す図である。
【図７】この発明の実施の形態３による大画面システムを示す構成図である。
【図８】図７に示される状態パターンメモリのデータ構造例を示す図である。
【図９】図７に示される状態毎操作重み付けメモリのデータ構造例を示す図である。
【図１０】この発明の実施の形態４による大画面システムを示す構成図である。
【図１１】図１０に示される操作履歴メモリのデータ構造例を示す図である。
【図１２】この発明の実施の形態５による大画面システムを示す構成図である。
【符号の説明】
【００３５】
１  大画面表示装置
２  操作信号受信部
３  操作信号解析部
４  操作信号処理部
５  大画面ディスプレイ
６  画面データ
７  画面オブジェクト
８  画面オブジェクト
９  カーソル
１０  カーソル
１１  操作卓
１２  操作対応メモリ
１３  操作重み付けメモリ
２１  操作信号解析部
２２  現在時刻メモリ
２３  時刻毎操作重み付けメモリ
２４  時計
３１  操作信号解析部
３２  現在状態メモリ
３３  状態パターンメモリ
３４  状態毎操作重み付けメモリ
３５  プラント状態取得部
４１  操作信号解析部
４２  操作履歴メモリ
５１  操作信号解析部
【図１】
2008129641.tif 000003
【図２】
2008129641.tif 000004
【図３】
2008129641.tif 000005
【図４】
2008129641.tif 000006
【図５】
2008129641.tif 000007
【図６】
2008129641.tif 000008
【図７】
2008129641.tif 000009
【図８】
2008129641.tif 000010
【図９】
2008129641.tif 000011
【図１０】
2008129641.tif 000012
【図１１】
2008129641.tif 000013
【図１２】
2008129641.tif 000014